(57)【要約】【課題】簡単な構成で高い負圧を得ることができる負圧発生装置を提供する。【解決手段】エンジンの吸気負圧が負圧装置に逆止弁を介して導入される。エンジンの吸気管路にスロットルバルブをバイパスして接続されたアイドリング管路にエゼクタがアイドルスピードコントロールバルブの下流側に直列に接続され、該エゼクタを通ってアイドリング用の吸気が行われる。このアドリング用の吸気流によってエゼクタの負圧取出口に発生する吸気負圧を減圧した負圧により負圧装置の負圧が高められる。【選択図】  図１
2004285838.tif 000002
【特許請求の範囲】
【請求項１】
アイドリング回転数を制御するためにアイドルスピードコントロールバルブが接続されたアイドリング管路を吸気管路にスロットルバルブをバイパスして接続したエンジンにおいて、エンジンの吸気負圧を負圧装置に逆止弁を介して導入し、該負圧装置に導入された負圧を前記エンジンの吸気流の一部が流れるエゼクタの負圧取出口に発生する負圧により高める負圧発生装置にして、前記アイドリング管路に前記エゼクタを流入口から流出口に向かう空気流がエンジンの燃焼室に吸入されるように前記アイドルスピードコントロールバルブの下流側に直列に接続し、前記エゼクタの負圧取出口に発生する負圧を逆止弁を介して前記負圧装置に導入したことを特徴とする負圧発生装置。
【請求項２】
請求項１において、前記負圧装置がブレーキ倍力装置のバキュームブースタであることを特徴とする負圧発生装置。
【発明の詳細な説明】
【０００１】
【発明の属する技術分野】
本発明は、エンジンの吸気負圧を負圧装置に導入し、該負圧をエンジンの吸気流の一部が流れるエゼクタの負圧取出口に発生する負圧により高める負圧発生装置に関するものである。
【０００２】
【従来の技術】
エンジンの吸気管におけるスロットルバルブの下流側にブレーキ倍力装置のブースタの負圧室を逆止弁を介して接続し、吸気管にエゼクタをスロットルバルブをバイパスして接続し、該エゼクタの負圧取出口を逆止弁を介してブースタの負圧室に接続した負圧発生装置は、スロットルバルブをバイパスしてエゼクタを流れる空気量が外気温度、大気圧により変化するために、エンジンの所望吸入空気量を得るためのスロットルバルブの開度に対し実際の吸入空気量が変化してエンジン制御が不安定になる不具合が生じる。係る不具合を解消するために、エゼクタの流路面積、外気温度および大気圧に基づいてエゼクタを流れる空気量を演算し、このスロットルバルブをバイパスする空気量に応じてスロットルバルブの開度を補正してエンジンの吸入空気量を所望量に制御するものが、特開２００２−３７１８８５号公報に記載されている。
【０００３】
【特許文献１】
特開２００２−３７１８８５号公報（第１９ページ、図８）
【０００４】
【発明が解決しようとする課題】
上述の負圧発生装置では、外気温度、大気圧を測定するために温度センサ、気圧センサを設けて、エゼクタを流れる空気量を演算により求めなければならず、制御が複雑になり、コスト高になる問題がある。
【０００５】
本発明は、係る従来の不具合を解消するためになされたもので、簡単な構成で高い負圧を得ることができる負圧発生装置を提供することである。
【０００６】
【課題を解決するための手段】
上記の課題を解決するため、請求項１に記載の発明の構成上の特徴は、アイドリング回転数を制御するためにアイドルスピードコントロールバルブが接続されたアイドリング管路を吸気管路にスロットルバルブをバイパスして接続したエンジンにおいて、エンジンの吸気負圧を負圧装置に逆止弁を介して導入し、該負圧装置に導入された負圧を前記エンジンの吸気流の一部が流れるエゼクタの負圧取出口に発生する負圧により高める負圧発生装置にして、前記アイドリング管路に前記エゼクタを流入口から流出口に向かう空気流がエンジンの燃焼室に吸入されるように前記アイドルスピードコントロールバルブの下流側に直列に接続し、前記エゼクタの負圧取出口に発生する負圧を逆止弁を介して前記負圧装置に導入したことである。
【０００７】
請求項２に係る発明の構成上の特徴は、請求項１において、前記負圧装置がブレーキ倍力装置のバキュームブースタであることである。
【０００８】
【発明の作用・効果】
上記のように構成した請求項１に係る発明においては、エンジンの吸気負圧が負圧装置に逆止弁を介して導入される。エンジンの吸気管路にスロットルバルブをバイパスして接続されたアイドリング管路にエゼクタがアイドルスピードコントロールバルブの下流側に直列に接続され、該エゼクタを通ってアイドリング用の吸気が行われる。このアドリング用の吸気流によってエゼクタの負圧取出口に発生する吸気負圧を減圧した負圧により負圧装置の負圧が高められる。
【０００９】
エンジンに既に装備されているアイドリング管路に設けられたアイドルスピードコントロールバルブは、アイドリング時にエアコン、パワーステアリング装置などが作動されるとアイドルアップするために開度制御されるなど、所望エンジン回転数を得るように制御されるので、エゼクタを直列に接続してもエンジンの実際の吸入空気量が異常に変化してエンジン回転が不安定になることはない。そして、外気温度センサおよび気圧センサの測定値に基づいてエゼクタを流れる空気量を演算し、該演算値に基づいてスロットルバルブの開度を補正する複雑な制御装置を別途設けることなく、エゼクタをアイドリング回路にアイドルスピードコントロールバルブの下流側に直列に接続するだけで、高い負圧を発生することができる安価な負圧発生装置を提供することができる。
【００１０】
上記のように構成した請求項２に係る発明においては、吸気管のスロットルバルブより下流の吸気負圧がブレーキ倍力装置のバキュームブースタの負圧室に導入される。アイドルスピードコントロールバルブの下流側に直列に接続されたエゼクタの負圧取出口に発生する吸気負圧を減圧した負圧が逆止弁を介して負圧室に導入される。これにより、例えば、冷間始動直後のようにエンジンの吸気負圧が小さい場合においても、エンジン回転が不安定になることなく、十分高い負圧を発生してバキュームブースタの負圧室に導入し所望ブレーキ力を発生することができる。
【００１１】
【実施の形態】
以下、本発明に係る負圧発生装置の実施の形態を図面に基づいて説明する。１はエンジンで、エンジン１の燃焼室２には吸気バルブ３を介して吸気管４が接続されている。吸気管４のスロットル部にはスロットルバルブ５が設けられ、該スロットルバルブ５はエンジンの運転状況に応じてスロットルアクチュエータにより開度を制御されるようになっている。吸気管４はフィルタ６を介して外気に開口している。７はスロットルバルブ５をバイパスして吸気管４に接続されたアイドリング回路で、スロットルバルブ５の上流側および下流側で吸気管４に連通されている。アイドリング回路７にはエンジン１のアイドリング運転時の吸気流量を制御するためのアイドルスピードコントロールバルブ（ＩＳＣＶ）８が接続されている。
【００１２】
９はブレーキ倍力装置で、ブレーキペダルに作用する踏力を負圧装置であるバキュームブースタ１０により倍力してマスタシリンダ１１のピストンロッドを押圧し、マスタシリンダ１１から踏力に応じた液圧をホイールシリンダに送出する。ブレーキペダルにより前後方向に軸動される作動ロッド１２とマスタシリンダ１１のピストンロッドとはサーボ弁１３を介して接続されている。バキュームブースタ１０はダイヤフラム１４により内部を負圧室１５と変圧室１６とに区画され、ブレーキペダルが踏まれてサーボ弁１３が作動されると変圧室１６に大気が導入され、負圧室１５と変圧室１６との圧力差がダイヤフラム１４に作用し、マスタシリンダ１１のピストンロッドがブレーキペダルに作用する踏力を倍力して押圧される。
【００１３】
アイドリング管路７にはエゼクタ２０が流入口から流出口に向かう空気流がエンジン１の燃焼室２に吸入されるようにアイドルスピードコントロールバルブ８の下流側に直列に接続されている。アイドリング管路７のエゼクタ２０の下流側は該下流側への空気流を許容する逆止弁２３を介してバキュームブースタ１０の負圧室１５に接続され、エゼクタ２０の負圧取出口２２は該負圧取出口２２への空気流を許容する逆止弁２１を介して負圧室１５に接続されている。
【００１４】
次に、上記実施の形態に係る負圧発生装置の作動について説明する。エンジン１が駆動されると、スロットルバルブ５の開度により流量が制御されて燃焼室２に吸気され、吸気管４のスロットルバルブ５の下流側は負圧となる。吸気管４の吸気負圧はアイドリング管路７のエゼクタ２０より下流側および逆止弁２３を介してバキュームブースタ１０の負圧室１５に導入される。アイドリング管路７にはアイドルスピードコントロールバルブ８の開度により流量が制御されたアイドリング用の吸気流が生じ、このアドリング用の吸気流によってエゼクタ２０の負圧取出口２２吸気負圧が減圧された負圧が発生する。負圧取出口２２に発生した負圧が逆止弁２３を介して負圧室１５に導入され、負圧室１５内の負圧が高められる。
【００１５】
アイドルスピードコントロールバルブ８は、エンジン１の運転状況に応じて開度が制御され、例えば、アイドリング時にエアコン、パワーステアリング装置などが作動されると、アイドリング回転数を上げるために開度が大となるように制御される。アイドルスピードコントロールバルブ８の開度が大となるにつれて図２（ａ）に示すようにアイドリング回路７を流れる吸気流量が増大し、吸気負圧が小さくなって負圧室１５内の負圧が図２（ｂ）に示すように小さくなる。ところが、アイドリング回路７を流れる吸気流量が増大し、エゼクタ２０の流入口から流出口に流れる空気流の流量が増大するにつれて、図３（ｃ）に示すように負圧取出口２２に発生する負圧の吸気負圧からの減圧量が大きくなり、この負圧取出口２２に発生した高い負圧が導入されてバキュームブースタ１０の負圧室１５内の負圧が高くなり、ブレーキ倍力装置９は所望ブレーキ力を発生することができる。
【図面の簡単な説明】
【図１】負圧発生装置の実施形態を示す図。
【図２】アイドルスピードコントロールバルブの開度とアイドリング吸気流量、吸気負圧およびエゼクタの減圧量の関係を示す図。
【符号の説明】
１…エンジン、２…燃焼室、４…吸気管、５…スロットルバルブ、７…アイドリング回路、８…アイドルスピードコントロールバルブ１０…ブレーキ倍力装置、１１…バキュームブースタ、１５…負圧室、２０…エゼクタ、２１，２３…逆止弁、２２…負圧取出口。
【図１】
2004285838.tif 000003
【図２】
2004285838.tif 000004